(57)【特許請求の範囲】
【請求項１】
カードの挿入・抜去方向に長手を有し且つ該カードの幅方向において対向配置されて前記カードの挿入に際して該カードのサイドエッジをガイドする一対のガイド部と、前記カードの挿入に際して前記サイドエッジに形成されたカード電極部と接触するように前記ガイド部にそれぞれ保持された一対のアースラグとを備えるカードコネクタにおいて、
前記アースラグは、それぞれ、対応する前記ガイド部に保持される被保持部と、前記被保持部から延びる接触片であって前記カードの挿入に際して前記幅方向において前記カード電極部に当接する当接部を有する接触片とを備えており、
前記接触片は、前記当接部が前記被保持部よりも前記幅方向において当該カードコネクタの内側に位置するように折り曲げられて形成されたものであり、
前記ガイド部には、前記被保持部を保持する保持部と、該保持部と連続形成され且つ前記接触片を収容する収容部とが形成されており、
該収容部は、前記カードの挿入に際して前記幅方向における前記カード電極部と前記当接部の少なくとも一部との接触を可能とするための窓部と、前記カードの厚み方向において前記窓部の少なくとも一部と隣接するようにして設けられた接触片保護部であって前記幅方向において前記接触片の少なくとも一部の内側に位置している接触片保護部とを備えている、カードコネクタ。
【請求項２】
前記接触片保護部は、前記当接部からみて、前記カードの挿入方向の奥側に位置する部位を有している、請求項１記載のカードコネクタ。
【請求項３】
前記接触片は、前記被保持部から前記カードの抜去方向に向かうと共に前記幅方向の内側に向かって前記当接部まで延びる第１部位と、前記当接部から前記カードの抜去方向に向かうと共に前記幅方向の外側に向かって延びる第２部位とを備えており、
前記接触片保護部は、前記第１部位のうち前記厚み方向において前記窓部に隣接する部分の前記幅方向内側に少なくとも位置している
請求項１又は請求項２記載のカードコネクタ。
【請求項４】
前記接触片保護部は、前記第２部位のうち前記厚み方向において前記窓部に隣接する部分の前記幅方向内側にも位置している、請求項３記載のカードコネクタ。
【請求項５】
前記ガイド部は、主部と、該主部の前記厚み方向上端から前記幅方向内側に張り出した上壁部と、該主部の前記厚み方向下端から前記幅方向内側に張り出した底壁部とを備えており、
前記主部、前記上壁部及び前記底壁部は、前記サイドエッジの移動をガイドするガイド溝を構成しており、
前記接触片保護部は、前記上壁部及び前記底壁部の少なくともいずれか一方に形成されている
請求項１乃至請求項４のいずれかに記載のカードコネクタ。
【請求項６】
前記被保持部には、斜め上方に向かって延びる係止舌片が設けられており、
前記保持部には、前記係止舌片の端部が係止する係止部が形成されている
請求項１乃至請求項５のいずれかに記載のカードコネクタ。
【発明の詳細な説明】
【技術分野】
【０００１】
本発明は、ＰＣカードやＣＦカードのようなカードを挿脱可能なカードコネクタに関する。
【背景技術】
【０００２】
この種のカードコネクタとしては、カードの挿入・抜去方向に長手を有し且つ同カードの幅方向において対向配置された一対のガイド部と、そのガイドにそれぞれ保持された一対のアースラグ（アース端子）とを備えるものが知られている（例えば、特許文献１及び特許文献２参照）。
【０００３】
【特許文献１】特開２００２−０７５５６０号公報
【特許文献２】特開２０００−０５８１９７号公報
【発明の開示】
【発明が解決しようとする課題】
【０００４】
従来のカードコネクタにおいては、カードを抉るようにして挿入してしまった場合などのようにイレギュラーな挿入動作が行われてしまった場合に、アースラグが座屈等してしまう恐れがある。
【０００５】
そこで、本発明は、カードのイレギュラーな挿入動作によってもアースラグの座屈等の発生を抑えることのできるカードコネクタを提供することを目的とする。
【課題を解決するための手段】
【０００６】
本発明によれば、第１のカードコネクタとして、カードの挿入・抜去方向に長手を有し且つ該カードの幅方向において対向配置されて前記カードの挿入に際して該カードのサイドエッジをガイドする一対のガイド部と、前記カードの挿入に際して前記サイドエッジに形成されたカード電極部と接触するように前記ガイド部にそれぞれ保持された一対のアースラグとを備えるカードコネクタにおいて、
前記アースラグは、それぞれ、対応する前記ガイド部に保持される被保持部と、前記被保持部から延びる接触片であって前記カードの挿入に際して前記幅方向において前記カード電極部に当接する当接部を有する接触片とを備えており、
前記接触片は、前記当接部が前記被保持部よりも前記幅方向において当該カードコネクタの内側に位置するように折り曲げられて形成されたものであり、
前記ガイド部には、前記被保持部を保持する保持部と、該保持部と連続形成され且つ前記接触片を収容する収容部とが形成されており、
該収容部は、前記カードの挿入に際して前記幅方向における前記カード電極部と前記当接部の少なくとも一部との接触を可能とするための窓部と、前記カードの厚み方向において前記窓部の少なくとも一部と隣接するようにして設けられた接触片保護部であって前記幅方向において前記接触片の少なくとも一部の内側に位置している接触片保護部とを備えている、カードコネクタが得られる。
【０００７】
また、本発明によれば、第２のカードコネクタとして、第１のカードコネクタにおいて、前記接触片保護部は、前記当接部からみて、前記カードの挿入方向の奥側に位置する部位を有している、カードコネクタが得られる。
【０００８】
また、本発明によれば、第３のカードコネクタとして、第１又は第２のカードコネクタにおいて、前記接触片は、前記被保持部から前記カードの抜去方向に向かうと共に前記幅方向の内側に向かって前記当接部まで延びる第１部位と、前記当接部から前記カードの抜去方向に向かうと共に前記幅方向の外側に向かって延びる第２部位とを備えており、
前記接触片保護部は、前記第１部位のうち前記厚み方向において前記窓部に隣接する部分の前記幅方向内側に少なくとも位置している
カードコネクタが得られる。
【０００９】
また、本発明によれば、第４のカードコネクタとして、第３のカードコネクタにおいて、前記接触片保護部は、前記第２部位のうち前記厚み方向において前記窓部に隣接する部分の前記幅方向内側にも位置している、カードコネクタが得られる。
【００１０】
また、本発明によれば、第５のカードコネクタとして、第１乃至第４のカードコネクタのいずれかにおいて、前記ガイド部は、主部と、該主部の前記厚み方向上端から前記幅方向内側に張り出した上壁部と、該主部の前記厚み方向下端から前記幅方向内側に張り出した底壁部とを備えており、
前記主部、前記上壁部及び前記底壁部は、前記サイドエッジの移動をガイドするガイド溝を構成しており、
前記接触片保護部は、前記上壁部及び前記底壁部の少なくともいずれか一方に形成されている
カードコネクタが得られる。
【００１１】
更に、本発明によれば、第６のカードコネクタとして、第１乃至第５のカードコネクタのいずれかにおいて、前記被保持部には、斜め上方に向かって延びる係止舌片が設けられており、
前記保持部には、前記係止舌片の端部が係止する係止部が形成されている
カードコネクタが得られる。
【発明の効果】
【００１２】
本発明のカードコネクタによれば、カードのイレギュラーな挿入動作が行われた場合でも、カードの厚み方向において窓部と隣接する部分に接触片保護部がカードの幅方向において接触片の少なくとも一部の内側に位置していることにより、接触片の座屈等の変形が防止される。
【００１３】
特に、接触片の当接部のカードの挿入方向の奥側に接触片保護部の一部が位置している場合、接触片保護部により当接部のカード挿入方向への移動が規制されることになり、接触片の座屈等の変形がより防止される。
【発明を実施するための最良の形態】
【００１４】
図１に示されるように、本発明の実施の形態によるカードコネクタ１００は、ＰＣカードのようなカード２００を収容し、カード２００の端子（図示せず）を基板（図示せず）などに電気的に接続するためのものであり、インシュレータからなるフレーム１０、複数のコンタクト７０、ロケータ８０及び一対のアースラグ９０を備えている。
【００１５】
図１及び図２に示されるように、フレーム１０は、カード２００の挿入方向（Ｘ方向）奥側に位置するベース部２０と、カード２００の幅方向（Ｙ方向）におけるベース部２０の両端からカードの抜去方向（−Ｘ方向）に延びるガイド部３０と、ガイド部３０の先端を連結する連結部４０とを有している。
【００１６】
図２に示されるように、ベース部２０には、Ｘ方向に延びるようにしてベース部２０を貫通する保持孔２２が形成されている。
【００１７】
図２に示されるように、ガイド部３０は、Ｘ方向に延びる主部３２と、カード２００の厚み方向（Ｚ方向）における主部３２の上端からＹ方向内側に張り出した上壁部３４と、主部３２の下端からＹ方向内側に張り出した底壁部３６とを備えている。これら主部３２、上壁部３４及び底壁部３６は、カード２００のサイドエッジ２１０の移動をガイドするガイド溝３８を構成している。図２から予想されるように、ガイド溝３８は、ＹＺ平面と平行な面で切断した場合、略コの字形状を有している。このガイド溝３８により、カード２００の先端がベース部２０の突き当て面２４に突き当たるまで、カード２００のカードコネクタ１００に対する挿入がガイドされる。
【００１８】
図２に示されるように、ガイド部３０の先端近傍には、保持部５０と、保持部５０と連続するようにして設けられた収容部６０とが形成されている。なお、保持部５０及び収容部６０の詳細についてはアースラグ９０の形状等と関連付けて後に説明することとする。
【００１９】
図２に示されるように、連結部４０は、薄板状の部位であり、ガイド部３０の先端近傍において底壁部３６同士を連結している。
【００２０】
図１及び図２に示されるように、各コンタクト７０は、水平部７２及び垂直部７４からなる略Ｌ字形状を有しており、水平部７２がベース部２０の保持孔２２に挿通されることにより、フレーム１０に保持されている。なお、各コンタクト７０がフレーム１０に保持された状態においては、水平部７２はフレーム１０の内部に向かって延びており、垂直部７４は下側（−Ｚ方向）に向かって延びている。
【００２１】
図１及び図２に示されるように、ロケータ８０には複数の整列孔８２が形成されており、コンタクト７０の垂直部７４は、この整列孔８２に挿通され、それによって整列させられている。ロケータ８０自体は、フレーム１０の後端近傍に組み込まれ固定されている。
【００２２】
図２に示されるように、アースラグ９０は、略平板片状の被保持部９１と、被保持部９１から延びる接触片９２とを備えている。詳しくは、被保持部９１には、幅方向内側の斜め上方に向かって延びる係止舌片９３と、下方向に向かって延びる二股係止片９４が設けられている。接触片９２は、略くの字形状を有するように折り曲げ形成されており、くの字の頂部がカード２００のサイドエッジ２１０に設けられたカード電極部２１２と接触する当接部９７として機能する。即ち、本実施の形態における接触片９２は、当接部９７が被保持部９１よりも幅方向内側に向かうように、折り曲げられている。換言すると、接触片９２は、被保持部９１から抜去方向（−Ｘ方向）に向かうと共に幅方向内側に向かって当接部９７まで延びる第１部位９５と、当接部９７から抜去方向に向かうと共に幅方向外側に向かって延びる第２部位９６を備えている。
【００２３】
図２乃至図６に示されるように、上述した本実施の形態による保持部５０及び収容部６０は、上記構成を有するアースラグ９０を保持収容するための部位である。保持部５０は、厚み方向に延びるスリットを有している。保持部５０の幅方向内側の壁上には係止部５２として機能する段差が形成されており、保持部５０のスリットの底部５０ａにはフレーム１０の下面まで貫通する孔５４が形成されている。アースラグ９０の二股係止片９４を孔５４から下方向に突出させつつ被保持部９１の部位９１ｂが保持部５０のスリットの底部５０ａに当接するまで被保持部９１を保持部５０に挿入すると、被保持部９１のＸ方向端部に形成された圧入部９１ａが保持部５０のＸ方向で対向する壁に食い込み、それによってアースラグ９０の被保持部９１が保持部５０に保持される。この保持部５０に対する被保持部９１の挿入の際、係止舌片９３は、保持部５０の内壁からＹ方向外側に向かう力を受けて一時的に変形するが係止舌片９３の端部が保持部５０の係止部５２に達すると、再び元の形に戻ろうとする。それによって係止舌片９３の端部は係止部５２に係止することになり、圧入部９０ａの機能と相俟って保持部５０による被保持部９１の保持をより強固なものとする。
【００２４】
収容部６０は、特に図３乃至図６に示されるように、アースラグ９０の接触片９２を収容するためのものである。この収容部６０には、収容部６０の内壁からガイド溝３８まで貫通する窓部６２が形成されている。本実施の形態における窓部６２の位置及び形状は、特に図５及び図６に示されるように、アースラグ９０の被保持部９１が保持部５０に保持された状態において、アースラグ９０の接触片９２に設けられた当接部９７の下部９７ａのみが窓部６２を通じてガイド溝３８内に突出するようにして、定められている。換言すると、本実施の形態による当接部９７の上部９７ｂは、被保持部９１が保持部５０に保持された状態において、窓部６２の上側に位置しているためガイド溝３８内には突出していない。
【００２５】
詳しくは、本実施の形態における収容部６０は、上方から見た場合に、接触片９２と同様にくの字状に延びる内壁を有している。この収容部６０のくの字状の内壁のうち、窓部６２の上側の部分は、幅方向において、当接部９７の上部９７ｂの内側に位置しており、接触片保護部６４として機能する。
【００２６】
図４及び図５から理解されるように、本実施の形態による接触片保護部６４は上壁部３４に形成されている。また、本実施の形態による接触片保護部６４のくの字状の頂部よりも挿入方向（Ｘ方向）奥側の部位６４ａは、当接部９７からみて挿入方向奥側で且つ幅方向外側に位置している。そのため、カード２００のイレギュラーな挿入動作が行われた場合であっても、アースラグ９０の接触片９２は接触片保護部６４と接触するため、それ以上変位することがない。従って、アースラグ９０の接触片９２の座屈等の変形を確実に防止することができる。
【００２７】
なお、本実施の形態における接触片保護部６４は幅方向において当接部９７の上部９７ｂのすべてと重なるように構成されているが（図５参照）、例えば、接触片保護部６４の挿入方向奥側の部位６４ａのみが当接部９７の上部９７ｂと幅方向において重なることとしてもよい。接触片９２を座屈等させるような力は当接部９７を挿入方向に移動させるようなものであるのに対して、接触片保護部６４の部位６４ａは当接部９７の挿入方向へ向かう移動を規制する役割を果たすからである。但し、接触片保護部６４の強度の向上や接触片９２の座屈防止をより確実なものとするためには、本実施の形態のように、接触片保護部６４が幅方向において当接部９７の上部９７ｂのすべてと重なるように構成されていることが好ましい。
【００２８】
加えて、本実施の形態においては、接触片保護部６４が窓部６２の上部に位置していたが、接触片保護部６４及び窓部６２の位置的関係はこれに限定されるものではなく、例えば、接触片保護部６４が窓部６２の下側に位置していてもよいし、窓部６２の上下両方に設けられていても良い。換言すると、本実施の形態による接触片保護部６４は、ガイド部３０の上壁部３４のみに形成されていたが、底壁部３６のみに形成されていてもよく、また上壁部３４及び底壁部３６の双方に形成されていてもよい。
【図面の簡単な説明】
【００２９】
【図１】本発明の実施の形態によるカードコネクタを示す斜視図である。
【図２】図１のカードコネクタを示す分解斜視図である。
【図３】図１のカードコネクタのIII−III線に沿った部分拡大断面図である。
【図４】図３のカードコネクタを示す上面図である。
【図５】図４のカードコネクタのＶ−Ｖ線に沿った断面図である。
【図６】図１のカードコネクタを示す図であって図５の断面を含む一部切欠き斜視図である。
【符号の説明】
【００３０】
１０        フレーム
２０        ベース部
２２        保持孔
２４        突き当て面
３０        ガイド部
３２        主部
３４        上壁部
３６        底壁部
３８        ガイド溝
４０        連結部
５０        保持部
５２        係止部
５４        孔
６０        収容部
６２        窓部
６４        接触片保護部
７０        コンタクト
７２        水平部
７４        垂直部
８０        ロケータ
８２        整列孔
９０        アースラグ
９１        被保持部
９２        接触片
９３        係止舌片
９４        二股係止片
９５        第１部位
９６        第２部位
９７        当接部
１００        カードソケット
２００        カード
２１０        サイドエッジ
２１２        カード電極部
【図１】
0004545202.tif 000002
【図２】
0004545202.tif 000003
【図３】
0004545202.tif 000004
【図４】
0004545202.tif 000005
【図５】
0004545202.tif 000006
【図６】
0004545202.tif 000007